(57)【要約】【課題】厚みを薄くできるようにしたＬＥＤ照明装置を提供する。【解決手段】ＬＥＤユニット９を支持し、このＬＥＤユニット９を支持する支持面３ａの反対側の少なくとも一部が被取付部に対する取付面３ｂとなる器具本体３と、器具本体３の第１の側面３ｃに面接触した状態で取り付けられ、ＬＥＤユニット９が発光する光を予め設定した方向へ反射する第１の反射板５と、器具本体３の第２の側面３ｄに面接触した状態で取り付けられ、ＬＥＤユニット９が発光する光を予め設定した方向へ反射する第２の反射板７と、を備える。第１の反射板５は、第１の側面３ｃの面接触する領域のうち、取付面３ｂに近い第１の縁部Ｒ１ａと取付面３ｂから遠い第２の縁部Ｒ１ｂとの間の中心部よりも第２の縁部Ｒ１ｂに近い位置Ｒ１ｃで固定される。第２の反射板７の固定位置も同様である。【選択図】図５
2015179664.tif 000002
【特許請求の範囲】
【請求項１】
ＬＥＤユニットを支持し、該ＬＥＤユニットを支持する支持面の反対側の少なくとも一部が被取付部に対する取付面となる器具本体と、
前記器具本体の側面に面接触した状態で取り付けられ、前記ＬＥＤユニットが発光する光を予め設定した方向へ反射する反射板と、を備え、
前記反射板は、前記側面の面接触する領域のうち、前記取付面に近い第１の縁部と前記取付面から遠い第２の縁部との間の中心部よりも該第２の縁部に近い位置で固定されることを特徴とするＬＥＤ照明装置。
【請求項２】
前記側面のうち前記取付面の側に段差部が形成されており、
前記段差部に前記反射板が掛止されることを特徴とする請求項１に記載のＬＥＤ照明装置。
【請求項３】
前記反射板は、前記位置に通される締結部材によって前記器具本体の側に押圧されて固定されることを特徴とする請求項１又は請求項２に記載のＬＥＤ照明装置。
【請求項４】
前記段差部に開口部が設けられており、
前記反射板の縁部から突き出た突片が前記開口部に差し込まれることを特徴とする請求項３に記載のＬＥＤ照明装置。
【請求項５】
前記器具本体の前記支持面の側で、該器具本体と前記反射板との接触部が同一平面内にあることを特徴とする請求項１から請求項４の何れか一項に記載のＬＥＤ照明装置。
【請求項６】
前記器具本体は前記支持面の側に凹部を有し、
前記凹部に収容されるＬＥＤユニットをさらに備えることを特徴とする請求項１から請求項５の何れか一項に記載のＬＥＤ照明装置。
【発明の詳細な説明】
【技術分野】
【０００１】
本発明は、ＬＥＤ（Ｌｉｇｈｔ  Ｅｍｉｔｔｉｎｇ  Ｄｉｏｄｅ：発光ダイオード）照明装置に関する。
【背景技術】
【０００２】
この種の従来技術としては、例えば特許文献１に開示されたものがある。即ち、特許文献１には、板金製の器具本体に板金製の反射笠を止め金具にて取り付けた照明器具が開示されている。この器具本体に、ソケットを備えた灯具保持具が取り付けられる。
【先行技術文献】
【特許文献】
【０００３】
【特許文献１】特許第４０４５７８８号
【発明の概要】
【発明が解決しようとする課題】
【０００４】
特許文献１に開示された照明器具では、器具本体と灯具保持具との間に反射笠や、反射笠を器具本体に固定する止め金具及びラッチが配置される。器具本体と、止め金具と、反射笠及びラッチが全て上下方向（即ち、天井から床面に向かう方向）で並ぶため、照明器具が厚くなりがちであるという課題があった。
そこで、この発明はこのような事情に鑑みてなされたものであって、厚みを薄くできるようにしたＬＥＤ照明装置の提供を目的とする。
【課題を解決するための手段】
【０００５】
上記課題を解決するために、本発明の一態様に係るＬＥＤ照明装置は、ＬＥＤユニットを支持し、該ＬＥＤユニットを支持する支持面の反対側の少なくとも一部が被取付部に対する取付面となる器具本体と、前記器具本体の側面に面接触した状態で取り付けられ、前記ＬＥＤユニットが発光する光を予め設定した方向へ反射する反射板と、を備え、前記反射板は、前記側面の面接触する領域のうち、前記取付面に近い第１の縁部と前記取付面から遠い第２の縁部との間の中心部よりも該第２の縁部に近い位置で固定されることを特徴とする。
【０００６】
また、上記のＬＥＤ照明装置において、前記側面のうち前記取付面の側に段差部が形成されており、前記段差部に前記反射板が掛止されることを特徴としてもよい。
また、上記のＬＥＤ照明装置において、前記反射板は、前記位置に通される締結部材によって前記器具本体の側に押圧されて固定されることを特徴としてもよい。
また、上記のＬＥＤ照明装置において、前記段差部に開口部が設けられており、前記反射板の縁部から突き出た突片が前記開口部に差し込まれることを特徴としてもよい。
【０００７】
また、上記のＬＥＤ照明装置において、前記器具本体の前記支持面の側で、該器具本体と前記反射板との接触部が同一平面内にあることを特徴としてもよい。
また、上記のＬＥＤ照明装置において、前記器具本体は前記支持面の側に凹部を有し、前記凹部に収容されるＬＥＤユニットをさらに備えることを特徴としてもよい。
本発明の別の態様に係るＬＥＤ照明装置は、ＬＥＤユニットを支持し、該ＬＥＤユニットを支持する支持面の反対側の少なくとも一部が被取付部に対する取付面となる器具本体を備え、前記器具本体の側面のうち前記取付面の側に、段差部が形成されていることを特徴とする。
【発明の効果】
【０００８】
本発明の一態様によれば、厚みを薄くできるようにしたＬＥＤ照明装置を提供することができる。
【図面の簡単な説明】
【０００９】
【図１】第１実施形態に係るＬＥＤ照明装置１の構成例を示す図である。
【図２】器具本体３の構成例を示す図である。
【図３】器具本体３の構成例を示す図である。
【図４】器具本体３の構成例を示す図である。
【図５】器具本体３の構成例を示す図である。
【図６】電源用コネクタ端子４２、電源用端子台４３とその周辺部の構成例を示す図である。
【図７】第１の反射板５の構成例を示す図である。
【図８】ＬＥＤユニット９の構成例を示す図である。
【図９】ＬＥＤ基板９３の構成例を示す図である。
【図１０】第２実施形態に係るＬＥＤ照明装置１０１の構成例を示す図である。
【発明を実施するための形態】
【００１０】
以下、本発明の実施形態を、図面を用いて説明する。なお、以下に説明する各図において、同一の構成を有する部分には同一の符号を付し、その繰り返しの説明は省略する。
＜第１実施形態＞
（構成）
図１（ａ）〜（ｃ）は、本発明の第１実施形態に係るＬＥＤ照明装置１の構成例を示す図である。詳しくは、図１（ａ）はＬＥＤ照明装置１を斜め上方から見た斜視図であり、図１（ｂ）はＬＥＤ照明装置１を斜め下方から見た斜視図であり、図１（ｃ）はＬＥＤ照明装置１を側方から見た側面図である。
【００１１】
図１（ａ）〜（ｃ）に示すように、このＬＥＤ照明装置１は、例えばトラフ型の照明装置であり、器具本体３と、第１の反射板５と、第２の反射板７と、ＬＥＤユニット９とを備える。
器具本体３は、ＬＥＤユニット９を支持すると共に、被取付部（例えば、天井、配線ダクトレール等）に取り付けられるものである。器具本体３は、ＬＥＤユニット９を支持する支持面３ａの側に、ＬＥＤユニット９を収容するための凹部３６を有する。また、器具本体３は、支持面３ａの反対側の少なくとも一部が、被取付部に対する取付面３ｂとなっている。
【００１２】
第１の反射板５は、器具本体３の第１の側面３ｃに面接触した状態で取り付けられ、ＬＥＤユニット９が発光する光を予め設定した方向（例えば、床面に向かう方向）へ反射するものである。第２の反射板７は、器具本体３の第２の側面３ｄに面接触した状態で取り付けられ、ＬＥＤユニット９が発光する光を予め設定した方向（例えば、床面に向かう方向）へ反射するものである。第１の反射板５及び第２の反射板７と合わせて、反射笠ともいう。
【００１３】
ＬＥＤユニット９は、光源がＬＥＤであり、被取付部の反対側を光で照らすものである。このＬＥＤユニット９は、器具本体３の凹部に着脱可能に収容される。なお、ＬＥＤ照明装置１を建物の天井に取り付ける場合は、図１（ａ）及び（ｃ）において、Ｚ軸のプラス方向（例えば、上方向）が天井側に相当し、Ｚ軸のマイナス方向（例えば、下方向）が床側に相当する。以下、ＬＥＤ照明装置１を構成する各構成部について説明する。
【００１４】
（１）器具本体  図２（ａ）〜図５（ｂ）は、器具本体３の構成例を示す図である。詳しくは、図２（ａ）及び（ｂ）は、反射笠を取り付けた状態の器具本体３を斜め上方から見た斜視図と、その一部を拡大した図である。図３（ａ）及び（ｂ）は、反射笠を取り付けた状態の器具本体３を斜め下方から見た斜視図と、その一部を拡大した図である。図４（ａ）及び（ｂ）は、反射笠を取り外した状態の器具本体３を斜め上方から見た斜視図と、その一部を拡大した図である。図５（ａ）及び（ｂ）は、図２（ａ）をＸ２−Ｘ２’線で切断した断面図であり、図５（ｂ）は図５（ａ）の一部を拡大した図である。
【００１５】
（１．１）支持面側の凹部
図２（ａ）〜図５（ｂ）に示すように、器具本体３は、器具本体３の長手方向（例えば、Ｙ軸方向）に沿う第１の側板３１と、長手方向に沿い且つ第１の側板３１と対向する第２の側板３２と、長手方向の一端部に配置された第３の側板３３と、長手方向の他端部に配置された第４の側板３４と、第１〜第４の側板３１〜３４に囲まれた支持板３５とを有する。そして、これら第１〜第４の側板３１〜３４と支持板３５とによって、ＬＥＤユニットを支持する支持面３ａの側に開口した凹部３６を構成している。
【００１６】
第１の側板３１と第２の側板３２は支持板３５と一体となっている。例えば、金属板の長手方向に沿う両側部が金型でそれぞれ折り曲げられて、第１の側板３１及び第２の側板３２となっている。また、第３の側板３３及び第４の側板３４は、第１の側板３１、第２の側板３２及び支持板３５とは別体に形成されている。第１の側板３１、第２の側板３２、第３の側板３３及び第４の側板３４は、器具本体３の四隅において、隣り合う側板同士が締結部品（リベット、ビス等）３７で締結されている（又は、溶接されていてもよい）。
【００１７】
また、器具本体３の支持板３５には、ボルトを通すための貫通穴３５１と、天井等に配設された外部配線を凹部３６の内側へ引き込むための貫通穴３５２と、外部配線やＬＥＤユニット９が有する内部配線（例えば、電源用配線、調光用配線など）を凹部３６の底面（即ち、支持板３５の支持面３ａ）の側に寄せて支持するための切込み部３５３と、後述の固定用爪部を掛止するための貫通穴３５４とが設けられている。貫通穴３５１は１つ又は２つ以上設けられている。貫通穴３５２も１つ又は２つ以上設けられている。切込み部３５３も１つ又は２つ以上設けられている。
【００１８】
例えば、ＬＥＤ照明装置１を建物の天井に取り付ける場合は、天井から床面に向かって突き出た長ボルトが用意されている。この長ボルトを器具本体３の貫通穴３５１に通し、ナットで固定することにより、器具本体３を天井に固定する。また、切込み部３５３を凹部３６の内側に折り曲げて、切込み部３５３と凹部３６の底面との間に配線を挟むことによって、上記の配線等を凹部３６の底面の側に寄せて支持する。
【００１９】
（１．２）取付面側の凸部
また、図３（ａ）及び（ｂ）に示すように、器具本体３は、ＬＥＤユニット９を支持面３ａの側に取り付けるためのバネ金具３７と、凸部４１とを有する。バネ金具３７は凹部３６の底面に設けられている。凸部４１は、凹部３６の底面の反対側の面（即ち、取付面３ｂ）に設けられている。また、バネ金具３７は、バネ３７１と、バネ３７１を支持するバネ支持部３７２と、バネ３７１の弾性力によって支持面３ａ側へ押圧されるアーム部３７３とを有する。バネ支持部３７２は、締結部材（例えば、リベット、ビス等）３７５と、固定用爪部３７６とによって、凹部３６の底面に固定されている。
【００２０】
図２（ａ）〜図４（ｂ）に示すように、締結部材３７５は、器具本体３の取付面３ｂの側からバネ支持部３７２を固定している。また、固定用爪部３７６は、その一部（即ち、掛止片）が支持板３５に設けられた貫通穴３５４の縁部に掛止されている。このため、締結部材３７５の頭部及び固定用爪部３７６の掛止片は器具本体３の取付面３ｂから上方へ突き出ている。ＬＥＤ照明装置１を被取付部に取り付けると、この締結部材３７５の頭部と固定用爪部３７６の掛止片とが被取付部に接触する。
【００２１】
ここで、ＬＥＤ照明装置１のうち被取付部に接触する部分が、締結部材３７５の頭部と固定用爪部３７６の掛止片のみでは配置のバランスが悪く、ＬＥＤ照明装置１の被取付部に対する取付状態が安定しない可能性がある。そこで、器具本体３の取付面３ｂに、１つ又は２つ以上の凸部４１が設けられている。この凸部４１は例えば樹脂からなる。また、この凸部４１の取付面３ｂからの高さは、締結部材３７５の頭部の取付面３ｂからの高さや、固定用爪部３７６の掛止片の取付面３ｂからの高さと同じ、又は、（押圧されると弾性で凹む樹脂の物性を考慮して）若干高めに設定されている。これにより、ＬＥＤ照明装置１のうち被取付部に接触する部分の数を増やし、配置のバランスを取ることができるので、ＬＥＤ照明装置１の被取付部に対する取付状態の安定化に寄与することができる。
【００２２】
なお、締結部材３７５の頭部と固定用爪部３７６の掛止片は、次に説明するコネクタ端子の位置決め用の凸部、締結部材の脚部、アース端子よりも大きく、被取付部との接触面積が大きい。また、凸部４１は樹脂からなり弾性を有する。このため、締結部材３７５の頭部、固定用爪部３７６の掛止片、凸部４１が被取付部に接触しても、被取付部を傷つけることを防ぐことができる。
【００２３】
（１．３）取付面側の凹部
また、器具本体３は、ＬＥＤユニット９の内部配線と外部配線とを電気的に接続するためのコネクタ端子と、コネクタ端子を設置するための端子台とを有する。コネクタ端子及び端子台は、凹部３６の底面に設けられている。
例えば、図３（ａ）及び（ｂ）に示すように、コネクタ端子として、ＬＥＤユニット９の電源用配線と外部配線とを電気的に接続する電源用コネクタ端子４２と、ＬＥＤユニット９の調光用配線と外部配線とを電気的に接続する調光用コネクタ端子４４とがある。また、端子台として、電源用コネクタ端子４２を設置するための電源用端子台４３と、調光用コネクタ端子を設置するための調光用端子台とがある。
【００２４】
図６は、電源用コネクタ端子４２、電源用端子台４３とその周辺部の構成例を示す断面図である。図６に示すように、電源用コネクタ端子４２のうち電源用端子台４３と対向する面側には、位置決め用の凸部４２１と、締結部材（例えば、リベット、ビス等）４５を通すための貫通穴４２２と、アース端子４２３とが設けられている。また、電源用端子台４３には、位置決め用の凸部４２１を通すための貫通穴４３１と、締結部材４５を通すため貫通穴４３２と、アース端子４２３を通すための貫通穴４３３とが設けられている。
【００２５】
位置決め用の凸部４２１が貫通穴４３１に差し込まれることによって、電源用端子台４３に対する電源用コネクタ端子４２の位置が決められる。また、この位置決めによって、貫通穴４２２、４３２が上下方向で連通する（即ち、接続する）と共に、アース端子４２３が貫通穴４３３に差し込まれる。そして、例えば電源用コネクタ端子４２の側から、貫通穴４２２、４３２に１本の締結部材４５を通すことによって、電源用コネクタ端子４２が電源用端子台４３に固定される。
【００２６】
また、電源用端子台４３の反対側は、その周囲の取付面３ｂに対して凹んでおり、凹部４７となっている。この凹部４７の取付面に対する深さをＤとする。また、位置決め用の凸部４２１、締結部材４５の脚部、アース端子４２３は、電源用端子台４３の反対側へ突き出ている。これら各部の突出長さの最大値をＬとする。ここで、ＤはＬ１よりも大きな値（Ｄ＞Ｌ１）となるように設定されているので、位置決め用の凸部４２１、締結部材４５の脚部、アース端子４２３が被取付部に接触することを防ぐことができる。位置決め用の凸部４２１、締結部材４５の脚部、アース端子４２３の取付面側に突き出た部分が尖っている場合でも、これらは被取付部に接触しないので、被取付部を傷つけてしまうことを防ぐことができる。
なお、調光用コネクタ端子４４（図３参照）及び調光用端子台の構成も、図６に示した電源用コネクタ端子４２及び電源用端子台４３の構成と同様である。これにより、調光用コネクタ端子４４が有する位置決め用の凸部、アース端子、調光用コネクタ端子４４を調光用端子台に固定する締結部材の脚部が、被取付部に接触することを防ぐことができる。
【００２７】
（１．４）段差部
また、器具本体３の長手方向に沿う側面のうち取付面（例えば、上面）の側には、器具本体３の長手方向に沿って段差部が設けられている。例えば図５（ａ）及び（ｂ）に示すように、器具本体３の第１の側面３ｃ（即ち、第１の側板３１の外側の側面）であって、取付面３ｂの側には、器具本体３の長手方向に沿って第１の段差部３１１が設けられている。第１の段差部３１１の断面視による形状（即ち、断面形状）はＬ字の形状である。Ｌ字の形状とは、第１の線分と第２の線分とが直交する形状のことである。同様に、器具本体３の第２の側面３ｄ（即ち、第２の側板３２の外側の側面）であって、取付面３ｂの側には、器具本体３の長手方向に沿って第２の段差部３２１が設けられている。第２の段差部３２１の断面形状も、Ｌ字の形状である。
【００２８】
第１の段差部３１１には、凹部３６の内側へ貫通する貫通穴３１２が設けられている。同様に、第２の段差部３２１には、凹部３６の内側へ貫通する貫通穴３２２が設けられている。また、第１の側板３１には締結部材を通すための貫通穴３１３が設けられている。同様に、第２の側板３２には締結部材を通すための貫通穴３２３が設けられている。
【００２９】
（２）反射板
（２．１）第１の反射板
図７（ａ）及び（ｂ）は、第１の反射板５の構成例を示す図である。詳しくは、図７（ａ）は第１の反射板５を斜め上方から見た斜視図であり、図７（ｂ）はその一部を拡大した図である。
【００３０】
図７（ａ）及び（ｂ）に示すように、第１の反射板５は、器具本体３の第１の側面３ｃに面接触で取り付けるための取付部５１と、ＬＥＤユニット９が発光する光を反射するための反射部５２と、取付部５１と反射部５２とを接続する接続部５３と、を有する。取付部５１は接続部５３の一方の側に位置し、反射部５２は接続部５３の他方の側に位置する。また、取付部５１の側部には、この側部から外側へ突き出た突片５４が設けられている。
【００３１】
また、図５（ａ）及び（ｂ）に示すように、取付部５１と接続部５３及び反射部５２は一体となっており、取付部５１に対して接続部５３が屈曲して連なると共に、接続部５３に対して反射部５２が屈曲して連なっている。例えば、取付部５１と接続部５３とが成す角度θ１は９０°である。また、接続部５３と反射部５２とが成す角度θ２は１００°以上、１７０°以下である。さらに、取付部５１の長手方向に沿う側部は、この側部が器具本体３の第１の段差部３１１に掛かるように、断面視でＬ字の形状となっている。また、取付部５１には、締結部材を通すための貫通穴５５が設けられている。
【００３２】
（２．２）第２の反射板
第２の反射板７も第１の反射板５と同様の構成を有する。即ち、図５（ａ）及び（ｂ）に示すように、第２の反射板７は、取付部７１と接続部７３及び反射部７２を有する。また、取付部７１の側部には、この側部から外側へ突き出た突片７４が設けられている。取付部７１と接続部７３及び反射部７２は一体となっており、取付部７１に対して接続部７３が屈曲して連なると共に、接続部７３に対して反射部７２が屈曲して連なっている。また、取付部７１の長手方向に沿う側部は、この側部が器具本体３の第１の段差部３１１に掛かるように、断面視でＬ字の形状となっている。さらに、取付部７１には、締結部材を通すための貫通穴７５が設けられている。
【００３３】
（２．３）反射板の固定方法
器具本体３に対する第１の反射板５の固定方法は次の通りである。まず、第１の反射板５の取付部５１の側部を器具本体３の第１の段差部３１１に掛けて、取付部５１を器具本体３の第１の側面３ｃに面接触させると共に、突片５４を貫通穴３１２に差し込む。これにより、器具本体３の第１の側面３ｃに対して第１の反射板５が位置決めされ、第１の反射板５の貫通穴５５と、器具本体３の貫通穴３１３とが左右方向で連通する。次に、例えば第１の反射板５の側から、貫通穴５５、３１３に締結部材５７を通し、この締結部材５７で第１の反射板５を器具本体３の第１の側面３ｃに固定する。この締結部材５７により、第１の反射板５は第１の側面３ｃに相対的に押圧され、第１の側面３ｃに面接触した状態で固定される。
【００３４】
なお、器具本体３の貫通穴３１２に差し込んだ突片５４の先端部は、図５（ａ）の矢印で示すように、貫通穴３１２の軸方向と交差する方向（例えば、下方向）に曲げておくことが好ましい。これにより、突片５４を貫通穴３１２の縁部に掛止することができ、突片５４と締結部材５７の２か所で第１の反射板５を器具本体３に固定することができる。
器具本体３に対する第２の反射板７の固定方法も、第１の反射板５の場合と同様である。即ち、第２の反射板７の取付部７１の側部を器具本体３の第２の段差部３２１に掛けて、取付部７１を器具本体３の第２の側面３ｄに面接触させると共に、突片７４を貫通穴３２２に差し込む。これにより、器具本体３の第２の側面３ｄに対して第２の反射板７が位置決めされ、第２の反射板７の貫通穴７５と、器具本体３の貫通穴３２３とが左右方向で連通する。次に、例えば第２の反射板７の側から、貫通穴７５、３２３に締結部材７７を通し、この締結部材７７で第２の反射板７を器具本体３の第２の側面３ｄに固定する。この締結部材５７により、第２の反射板７は第１の側面３ｃに相対的に押圧され、第１の側面３ｃに面接触した状態で固定される。
【００３５】
なお、器具本体３の貫通穴３２２に通された突片７４の先端部は、図５（ａ）の矢印で示すように、貫通穴３２２の軸方向と交差する方向（例えば、下方向）に曲げておくことが好ましい。これにより、突片７４を貫通穴３２の縁部に掛止することができ、突片７４と締結部材７７の２か所で第２の反射板７を器具本体３に固定することができる。
【００３６】
（２．４）締結部材による反射板の固定位置
ところで、締結部材５７による第１の反射板５の固定位置は、第１の反射板５と器具本体３の第１の側面３ｃとが面接触する領域Ｒ１のうち、取付面３ｂに近い第１の縁部Ｒ１ａと取付面３ｂから遠い第２の縁部Ｒ１ｂとの間の中心部よりも第２の縁部Ｒ１ｂに近い位置（即ち、凹部３６の開口端面３６ｂに近い位置）Ｒ１ｃとなっている。これにより、特に開口端面３６ｂの側において、第１の反射板５と器具本体３とを密着させて隙間が生じないようにすることができ、第１の反射板５と器具本体３との間に、隙間に起因する影を生じさせないようにすることができる。
【００３７】
また、締結部材７７による第２の反射板７の固定位置も、第１の反射板５の場合と同様である。即ち、締結部材７７による第２の反射板７の固定位置は、第２の反射板７と器具本体の第２の側面３ｄとが面接触する領域Ｒ２のうち、取付面３ｂに近い第１の縁部Ｒ２ａと取付面３ｂから遠い第２の縁部Ｒ２ｂとの間の中心部よりも第２の縁部Ｒ２ｂに近い位置（即ち、凹部３６の開口端面３６ｂに近い位置）Ｒ２ｃとなっている。これにより、特に開口端面３６ｂの側において、第２の反射板７と器具本体３とを密着させて隙間が生じないようにすることができ、第２の反射板７と器具本体３との間に、隙間に起因する影を生じさせないようにすることができる。
【００３８】
また、図５（ｂ）に示すように、凹部３６の開口端面３６ｂの側で、器具本体３と第１の反射板５との接触部６は同一平面内にある（即ち、面一である。）。同様に、凹部３６の開口端面３６ｂの側で、器具本体３と第２の反射板７との接触部も同一平面内にある。これにより、上記の各接触部に段差がある場合と比較して、段差に起因する影を生じさせないようにすることができる。
【００３９】
また、図５（ｂ）に示すように、接触部６を挟んで同一平面内にある第１の反射板５と第１の側板３１の合計長さＬ２は、例えば、０．５ｃｍ以上、７．５ｃｍ以下である。図示しないが、接触部を挟んで同一平面内にある第２の反射板７と第２の側板３２の合計長さも、上記Ｌと同じである。これにより、器具本体３に対してＬＥＤユニット９を着脱する際に、ＬＥＤユニット９と第１の反射板５との間に作業者の指等を配置することができる。ＬＥＤユニット９の着脱が容易となる。
【００４０】
また、第１の側板３１のうち開口端面３６ｂ側の端部３１ａは、角が隠れるように曲げられている。同様に、第２の側板３２のうち開口端面３６ｂ側の端部３２ａも、角が隠れるように曲げられている。これにより、ＬＥＤユニット９を着脱する際に、作業者の指が器具本体３の角に接触する可能性を低減することができる。
【００４１】
（３）ＬＥＤユニット
図８（ａ）及び（ｂ）は、ＬＥＤユニット９の構成例を示す図である。詳しくは、図８（ａ）はＬＥＤユニット９の主面側を斜め上方から見た斜視図であり、図５（ｂ）はＬＥＤユニット９の背面側を斜め上方から見た斜視図である。
また、図９（ａ）及び（ｂ）は、ＬＥＤ基板９３の構成例を示す図である。詳しくは、図９（ａ）はＬＥＤ基板９３を斜め上方から見た斜視図であり、図９（ｂ）はその一部を拡大した図である。
【００４２】
図８（ａ）〜図９（ｂ）に示すように、ＬＥＤユニット９は、ヒートシンク９１と、ヒートシンク９１の背面側に設けられた電源ボックス９２と、ヒートシンク９１の主面側に配置されたＬＥＤ基板９３と、ヒートシンク９１の主面側に設けられてＬＥＤ基板９３を部分的に覆う反射シート９４と、ヒートシンク９１の主面側に設けられてＬＥＤ基板９３及び反射シート９４を覆うカバーパネル９５と、ヒートシンク９１の長手方向の両端部を覆うサイドカバー９６とを有する。
【００４３】
（３．１）ヒートシンク
図８（ａ）〜図９（ｂ）に示すように、ヒートシンク９１は、ＬＥＤ基板９３や電源ボックス９２等が取り付けられる支持板９１１と、第１の側板９１２と、第２の側板９１２と、を有する。支持板９１１は、主面と背面とを有し、平面視による形状（以下、平面形状）は一方向に細長い矩形状である。また、第１の側板９１２は、支持板９１１の長手方向に沿う両側部の一方に設けられ、支持板９１１の背面側で起立している。第２の側板９１３は、支持板９１１の長手方向に沿う両側部の他方に設けられ、支持板９１１の背面側で起立している。第１の側板９１２と第２の側板９１３は互いに対向している。また、第１の側板９１２と第２の側板９１３は支持板９１１と一体化している。例えば、金属板の長手方向に沿う両側部がそれぞれ折り曲げられて、第１の側板９１２及び第２の側板９１３となっている。
【００４４】
（３．２）電源ボックス
図８（ｂ）に示すように、電源ボックス９２は、その内部にＬＥＤ点灯回路（即ち、電源回路）を収納する筐体である。電源ボックス９２は、プラスチック、アルミニウム又はステンレス等の材料からなり、その外観形状は一方向に長く延びた形状（即ち、長手方向を有する形状）である。ＬＥＤ点灯回路は、例えば、配線ダクトレールから供給される交流電力を直流に変換し、その出力（即ち、直流電力）をＬＥＤ基板９３に供給する。電源ボックス９２は、図示しない締結部材（例えば、リベット、ビス等）によって、ヒートシンク９１の背面側に固定されている。
【００４５】
（３．３）ＬＥＤ基板
図９（ａ）及び（ｂ）に示すように、ＬＥＤ基板９３の平面形状は一方向に細長い矩形状である。ＬＥＤ基板９３は、複数のＬＥＤ素子９３１と、複数のＬＥＤ素子９３１間を接続する導電層（図示せず）と、導電層を覆って保護する保護層（図示せず）と、導電層に接続するコネクタ端子９３３と、を有する。
【００４６】
ＬＥＤ素子９３１は、例えば半導体を用いたｐｎ接合を有し、ｐｎ接合の順方向にバイアスが加えられて電流が流れると、電子と正孔とが再結合して光を放出する素子である。ＬＥＤ素子９３１が発光する色は特に制限されず、例えば昼白色でもよいし、電球色でもよい。
導電層は、ＬＥＤ基板９３の基材上に形成されている。例えば、基材はＦＲ−４又はＣＥＭ−３であり、導電層は銅（Ｃｕ）からなる。導電層にＬＥＤ素子９３１が取り付けられることにより、複数のＬＥＤ素子９３１間が接続される。保護層は絶縁性であり、その色は反射シート９４と同じ色（例えば、白色）であることが好ましい。コネクタ端子９３３は、例えば、ＬＥＤ基板９３へ電流を入力するための入力用端子と、ＬＥＤ基板９３から電流を出力するための出力用端子とを有する。ＬＥＤ基板９３は、締結部材（例えば、リベット、ビス等）９８によって、ヒートシンク９１に固定されている。
【００４７】
なお、図９（ａ）及び（ｂ）では、ＬＥＤユニット９が２枚のＬＥＤ基板９３を有し、これら２枚のＬＥＤ基板９３はその長手方向に向かって一列に並んで配置されている場合を示している。しかしながら、本発明はこれに限定されるものではない。本発明では、ＬＥＤユニット９が有するＬＥＤ基板９３の枚数に制限はない。例えば、ＬＥＤユニット９が有するＬＥＤ基板９３は１枚でも良いし、３枚以上でもよい。ＬＥＤ基板９３が３枚以上の場合は、例えば、３枚以上のＬＥＤ基板９３がその長手方向に向かって一列に並んで配置される。
【００４８】
また、ＬＥＤ基板９３は、電源オフ時の放電電流によりＬＥＤ素子９３１が発光することを抑制するために、１つ又は２つ以上の抵抗素子（図示せず）を有していてもよい。この場合、ＬＥＤ素子９３１と抵抗素子との間も導電層で接続される。電源オフ時の放電電流を、ＬＥＤ素子９３１だけでなく抵抗素子にも流すことにより、ＬＥＤ素子９３１に流れる電流量を低減し、電源オフ時の発光を抑制することができる。
【００４９】
（３．４）反射シート
図９（ａ）及び（ｂ）に示すように、反射シート９４は、ＬＥＤ基板９３のうちＬＥＤ素子９３１以外を覆うように配置されている。例えば、ＬＥＤユニット９は４枚の反射シート９４を有する。４枚の反射シート９４はそれぞれ、ＬＥＤ基板９３の長手方向に沿う側部からヒートシンク９１の長手方向に沿う側部にかけて配置されている。
反射シート９４の材質は、例えばポリエチレンテレフタラート（ＰＥＴ）又はポリプロピレン（ＰＰ）である。また、反射シート９４の表面は、例えば白色であり、光沢を有する。なお、反射シート９４の材質、表面の色及び光沢の有無に特に制限はないが、光の反射率が高いものを用いることによって、ＬＥＤ照明装置１の光束を高めることができる。
【００５０】
（３．５）カバーパネル、サイドカバー  図８（ａ）に示すように、カバーパネル９５は、ヒートシンク９１の主面側を覆って、ＬＥＤ基板９３の各ＬＥＤ素子９３１から発せられた光と、反射シート９４によって反射された光とを拡散及び透過させるものである。カバーパネル９５は、ヒートシンク９１に対応して一方向に細長い形状を有する。このカバーパネル９５によって、多数のＬＥＤ素子９３１による発光の粒々（ツブツブ）感を低減することができ、面発光により近づけることができる。
【００５１】
サイドカバー９６は、ヒートシンク９１の長手方向の端部を覆って、ＬＥＤ基板９３の各ＬＥＤ素子９３１から発せられた光と、反射シート９４によって反射された光とを拡散及び透過させるものである。図９に示すように、サイドカバー９６は、ヒートシンク９１の長手方向の端部に取り付けられた枠体９６１と、この枠体９６１に支持されたパネル板９６３とを有する。また、この枠体９６１には段差部９６２が形成されている。上記のカバーパネル９５の長手方向の端部は、この段差部９６２と重なるように配置される。カバーパネル９５及びパネル板９６３は、例えば同一の材料からなる。
【００５２】
（第１実施形態の効果）
本発明の実施形態は、以下の効果を奏する。
（１）第１の反射板５は、器具本体３の第１の側面３ｃに面接触した状態で取り付けられる。第２の反射板７は、器具本体３の第２の側面３ｄに面接触した状態で取り付けられる。このように、第１、第２の反射板５、７の器具本体３に対する取付位置は、器具本体３の上下方向ではなく、側方（即ち、左右方向）にあるので、ＬＥＤ照明装置の厚みを薄くすることができる。
【００５３】
（２）締結部材５７による第１の反射板５の固定位置は、第１の反射板５と器具本体３の第１の側面３ｃとが面接触する領域Ｒ１のうち、凹部３６の開口端面３６ｂに近い位置Ｒ１ｃとなっている。これにより、特に開口端面３６ｂ側において、第１の反射板５と器具本体３とを密着させて隙間が生じないようにすることができ、第１の反射板５と器具本体３との間に、隙間に起因する影を生じさせないようにすることができる。締結部材７７による第２の反射板７の固定位置も、凹部３６の開口端面３６ｂに近い位置Ｒ２ｃとなっている。これにより、ＬＥＤ照明装置１の外観性の向上に寄与することができる。
【００５４】
（３）開口端面３６ｂの側で、器具本体３と第１の反射板５との接触部６は同一平面内にある。同様に、器具本体３と第２の反射板７との接触部も同一平面内にある。これにより、上記の各接触部に段差がある場合と比較して、段差に起因する影を生じさせないようにすることができる。ＬＥＤ照明装置１の外観性の向上に寄与することができる。
【００５５】
（４）第１の反射板５の突片５４の先端部は、貫通穴３１２に差し込まれて、例えば下方向に曲げられている。これにより、突片５４を貫通穴３１２の縁部に掛止することができ、突片５４と締結部材５７の２か所で第１の反射板５を器具本体３に固定することができる。これにより、第１の反射板５の器具本体３に対する固定状態をより安定したものとすることができる。同様に、第２の反射板７の突片７４の先端部は、貫通穴３２２に差し込まれて、例えば下方向に曲げられている。これにより、突片７４を貫通穴３２２の縁部に掛止することができ、突片７４と締結部材７７の２か所で第２の反射板７を器具本体３に固定することができる。これにより、第２の反射板７の器具本体３に対する固定状態をより安定したものとすることができる。
【００５６】
（５）器具本体３は、その取付面の側に凸部４１を有する。この凸部４１により、ＬＥＤ照明装置１のうち被取付部に接触する部分の数を増やし、配置のバランスを取ることができる。これにより、ＬＥＤ照明装置１の被取付部に対する取付状態の安定化に寄与することができる。
【００５７】
（６）器具本体３は、電源用端子台４３の反対側に凹部４７を有する。この凹部４７により、電源用コネクタ端子４２の位置決め用の凸部４２１、アース端子４２３、締結部材４５の脚部が被取付部に接触することを防ぐことができる。これにより、位置決め用の凸部４２１、締結部材４５の脚部、アース端子４２３の取付面側に突き出た部分が尖っている場合でも、これらは天井等の被取付部に接触しないので、被取付部を傷つけてしまうことを防ぐことができる。調光用端子台及び調光用コネクタ端子４４についても、電源用端子台４３及び電源用コネクタ端子４２の場合と同様である。
【００５８】
（７）第１実施形態で説明したＬＥＤ照明装置１と、後述の第２実施形態で説明するＬＥＤ照明装置１０１は、器具本体３の共用（部品の共通化）が可能である。これにより、ＬＥＤ照明装置の製造コストの低減に寄与することができる。
【００５９】
（変形例）
第１実施形態では、締結部材５７を用いて第１の反射板５を器具本体３の第１の側面３ｃに取り付ける場合について説明した。同様に、締結部材７７を用いて第２の反射板７を器具本体３の第２の側面３ｄに取り付ける場合について説明した。しかしながら、本発明において、器具本体３に対する第１の反射板５と第２の反射板７の取付方法は、これに限定されるものではない。器具本体３に対する第１の反射板５、第２の反射板７の取付方法は、溶接でもよい。このような場合であっても、上述した第１実施形態の効果（１）〜（７）と同様の効果を奏する。
【００６０】
＜第２実施形態＞
上記の第２実施形態では、ＬＥＤ照明装置１が第１の反射板５及び第２の反射板７を備える場合について説明した。しかしながら、本発明はこれに限定されるものではない。本発明では、ＬＥＤ照明装置は、反射板として、第１の反射板５及び第２の反射板７のうちの一方のみを備えていてもよい。このような構成であって、上記した第１実施形態の効果（１）〜（７）と同様の効果を奏する。
【００６１】
また、本発明において、ＬＥＤ照明装置は反射板を備えなくてもよい。例えば、第１の反射板５と第２の反射板７とを省いた構成でもよい。第１の反射板５と第２の反射板７とを省いた場合の構成例について説明する。
図１０（ａ）及び（ｂ）は、本発明の第２実施形態に係るＬＥＤ照明装置１０１の構成例を示す図である。詳しくは、図１０（ａ）はＬＥＤ照明装置１０１を斜め上方から見た斜視図であり、図１０（ｂ）はＬＥＤ照明装置１０１を斜め下方から見た斜視図であり、図１０（ｃ）はＬＥＤ照明装置１０１を側方から見た側面図である。
【００６２】
図１０（ａ）〜（ｃ）に示すように、このＬＥＤ照明装置１０１は、例えばトラフ型の照明装置であり、器具本体３と、ＬＥＤユニット９とを備える。ＬＥＤ照明装置１０１は第１の反射板５と、第２の反射板７とが取り付けられていないが、それ以外の構成は、第１実施形態で説明したＬＥＤ照明装置１と同じである。第２実施形態は、第１実施形態の効果（１）、（５）〜（７）と同様の効果を奏する。
【００６３】
＜対応関係＞
本発明の実施形態では、第１の反射板５及び第２の反射板７が本発明の「反射板」に対応している。また、第１の段差部３１１及び第２の段差部３２１が本発明の「段差部」に対応している。さらに、貫通穴３１２、３２２が本発明の「開口部」に対応している。
【００６４】
＜その他＞
本発明は、以上に記載した各実施形態や変形例に限定されるものではない。当業者の知識に基づいて各実施形態や変形例に設計の変更等を加えてもよく、そのような変更が加えられた態様も本発明の範囲に含まれる。
【符号の説明】
【００６５】
１、１０１  ＬＥＤ照明装置
３  器具本体
３ａ  支持面
３ｂ  取付面
３ｃ  第１の側面
３ｄ  第２の側面
５  第１の反射板
６  接触部
７  第２の反射板
９  ＬＥＤユニット
３１、９１２  第１の側板
３１ａ、３１ｂ  端部
３２、９１３  第２の側板
３３  第３の側板
３４  第４の側板
３５、９１１  支持板
３６  凹部
３６ｂ  開口端面
３７  バネ金具
４１、４２１  凸部
４２  電源用コネクタ端子
４３  電源用端子台
４４  調光用コネクタ端子
４５、５７、７７、３７５  締結部材
４７  凹部
５１、７１  取付部
５２、７２  反射部
５３、７３  接続部
５４、７４  突片
５５、７５、３１２、３１３、３２３、３５１、３５２、３５４、４２２、４３１、４３２、４３３  貫通穴
９１  ヒートシンク
９２  電源ボックス
９３  ＬＥＤ基板
９４  反射シート
９５  カバーパネル
９６  サイドカバー
３１１  第１の段差部
３２１  第２の段差部
３５３  切込み部
３７１  バネ
３７２  バネ支持部
３７３  アーム部
３７６  固定用爪部
４２３  アース端子
９３１  ＬＥＤ素子９３３  コネクタ端子
９６１  枠体
９６２  段差部
９６３  パネル板
【図１】
2015179664.tif 000003
【図２】
2015179664.tif 000004
【図３】
2015179664.tif 000005
【図４】
2015179664.tif 000006
【図５】
2015179664.tif 000007
【図６】
2015179664.tif 000008
【図７】
2015179664.tif 000009
【図８】
2015179664.tif 000010
【図９】
2015179664.tif 000011
【図１０】
2015179664.tif 000012
【手続補正書】
【提出日】平成27年2月6日(2015.2.6)
【手続補正１】
【補正対象書類名】特許請求の範囲
【補正対象項目名】全文
【補正方法】変更
【補正の内容】
【特許請求の範囲】
【請求項１】
ＬＥＤユニットを支持し、該ＬＥＤユニットを支持する支持面の反対側の少なくとも一部が被取付部に対する取付面となる器具本体を備え、
前記器具本体は、
前記ＬＥＤユニットが発光する光を反射する反射板が面接触する状態で取付可能な側面と、
前記側面のうち前記取付面の側に形成されて、前記反射板を掛止可能な段差部と、を有するＬＥＤ照明装置。
【請求項２】
前記器具本体は前記支持面の側に凹部を有し、
前記側面のうち、前記段差部よりも前記凹部の開口端寄りに、前記凹部の内側へ貫通する貫通穴が設けられている請求項１に記載のＬＥＤ照明装置。
【請求項３】
前記段差部には、前記反射板の縁部から突き出た突片が差し込み可能な開口部が設けられている請求項１又は請求項２に記載のＬＥＤ照明装置。
【請求項４】
前記開口部は、前記器具本体の長手方向に沿って、複数設けられている請求項３に記載のＬＥＤ照明装置。
【請求項５】
前記段差部の底面においても、前記反射板が面接触可能である請求項１から請求項４の何れか一項に記載のＬＥＤ照明装置。
【請求項６】
前記段差部は、前記取付面に平行な底面と、前記取付面に直交する直交面とを含む請求項１から請求項５の何れか一項に記載のＬＥＤ照明装置。
【手続補正２】
【補正対象書類名】明細書
【補正対象項目名】０００７
【補正方法】変更
【補正の内容】
【０００７】
また、上記のＬＥＤ照明装置において、前記器具本体の前記支持面の側で、該器具本体と前記反射板との接触部が同一平面内にあることを特徴としてもよい。
また、上記のＬＥＤ照明装置において、前記器具本体は前記支持面の側に凹部を有し、前記凹部に収容されるＬＥＤユニットをさらに備えることを特徴としてもよい。
本発明の別の態様に係るＬＥＤ照明装置は、ＬＥＤユニットを支持し、該ＬＥＤユニットを支持する支持面の反対側の少なくとも一部が被取付部に対する取付面となる器具本体を備え、前記器具本体の側面のうち前記取付面の側に、段差部が形成されていることを特徴とする。
本発明のさらに別の態様に係るＬＥＤ照明装置は、ＬＥＤユニットを支持し、該ＬＥＤユニットを支持する支持面の反対側の少なくとも一部が被取付部に対する取付面となる器具本体を備え、前記器具本体は、前記ＬＥＤユニットが発光する光を反射する反射板が面接触する状態で取付可能な側面と、前記側面のうち前記取付面の側に形成されて、前記反射板を掛止可能な段差部と、を有することを特徴とする。
また、上記のＬＥＤ照明装置において、前記器具本体は前記支持面の側に凹部を有し、前記側面のうち、前記段差部よりも前記凹部の開口端寄りに、前記凹部の内側へ貫通する貫通穴が設けられていることを特徴としてもよい。
また、上記のＬＥＤ照明装置において、前記段差部には、前記反射板の縁部から突き出た突片が差し込み可能な開口部が設けられていることを特徴としてもよい。
また、上記のＬＥＤ照明装置において、前記開口部は、前記器具本体の長手方向に沿って、複数設けられていることを特徴としてもよい。
また、上記のＬＥＤ照明装置において、前記段差部の底面においても、前記反射板が面接触可能であることを特徴としてもよい。
また、上記のＬＥＤ照明装置において、前記段差部は、前記取付面に平行な底面と、前記取付面に直交する直交面とを含むことを特徴としてもよい。
【手続補正３】
【補正対象書類名】図面
【補正対象項目名】図５
【補正方法】変更
【補正の内容】
【図５】
2015179664.tif 000013